(57)【要約】【課題】現地据え付け作業時や、仕様変更に伴う突発的な回路の変更が必要となった際にも、電源ケーブルの引き込みなしでも回路構築が可能となる補助継電器を得る。【解決手段】電源供給で付勢される操作コイルと、この操作コイルの付勢により操作試験回路に有る接点が動作することで、前記操作試験回路に接続される継電器の試験が可能なものであって、前記操作コイルに必要なとき電気的に接続可能な補助継電器本体と、前記補助継電器本体を収納する容器と、を備えた補助継電器において、前記操作コイルを付勢可能な電源を、前記補助継電器本体に内蔵した補助継電器。【選択図】図２
2018055880.tif 000002
【特許請求の範囲】
【請求項１】
電源供給で付勢される操作コイルと、この操作コイルの付勢により操作試験回路に有る接点が動作することで、前記操作試験回路に接続される継電器の試験が可能なものであって、前記操作コイルに必要なとき電気的に接続可能な補助継電器本体と、前記補助継電器本体を収納する容器と、を備えた補助継電器において、
前記操作コイルを付勢可能な電源を、前記補助継電器本体に内蔵するか、又は前記補助継電器本体と前記容器の間に配設したことを特徴とする補助継電器。
【請求項２】
電源供給で付勢される操作コイルと、この操作コイルの付勢により操作試験回路に有る接点が動作することで、前記操作試験回路に接続される継電器の試験が可能なものであって、前記操作コイルに必要なとき電気的に接続可能な補助継電器本体と、前記補助継電器本体を収納する容器と、前記容器外部から露出し前記操作コイルと電気的に接続された端子を備えた補助継電器において、
前記端子と挿抜可能なレセプタクルを絶縁体内に収納されたソケットに、前記操作コイルを付勢できる電源を内蔵したことを特徴とする補助継電器。
【請求項３】
前記電源は、振動、発熱により発電可能な素子、充電可能な素子のいずれか、或いはこれらを組み合わせたもので構成したことを特徴とする請求項１又は２に記載の補助継電器。
【請求項４】
ソケット容器壁に埋設され、外部回路と電気的に接続が可能な補助継電器に有する外部端子に挿抜可能なレセプタクルと、
前記ソケット容器内に収納され、前記レセプタクルと電気的に接続され、外部電源から充電可能であって、前記補助継電器に有する接点を駆動するための電磁石を構成する操作コイルに電流が供給できる充電電池と、
を具備した補助継電器用充電電池ソケット。
【発明の詳細な説明】
【技術分野】
【０００１】
本発明の実施形態は、操作コイルを付勢する電源を備えた補助継電器、補助継電器用充電電池ソケットに関する。
【背景技術】
【０００２】
従来の補助継電器においては、継電器を試験する際に、予め電源ケーブルを引込んで準備した外部電源を電磁石を構成する操作コイルに接続して操作コイルを付勢する必要があった。
【先行技術文献】
【特許文献】
【０００３】
【特許文献１】特開２００３-３０８７７１号公報
【特許文献２】特開２０１５-１５３７０７号公報
【発明の概要】
【発明が解決しようとする課題】
【０００４】
そのため、電気設備の施工時や、不慮の事故、突発的な仕様変更などが生じた際には、継電器の予備と、外部電源の確保、電源ケーブルの繋ぎこみ、もし電源空きケーブルが無ければ新たに敷設も必要としている。また、外部との取合いにおいてドライ接点を送る際の、例えば２接点３端子型の機器の接点を別々の機器へ信号を出力する場合、取り合い箇所の設計に注意しないと電源の混触のリスクがあった。
【０００５】
本実施形態は、このような課題を改善するためなされたもので、操作コイルを付勢するための電源を備えた補助継電器、操作コイルを付勢できる補助継電器用充電電池ソケットを提供することを目的とする。
【課題を解決するための手段】
【０００６】
本実施形態の代表例は、電源供給で付勢される操作コイルと、この操作コイルの付勢により操作試験回路に有る接点が動作することで、前記操作試験回路に接続される継電器の試験が可能なものであって、前記操作コイルに必要なとき電気的に接続可能な補助継電器本体と、前記補助継電器本体を収納する容器と、を備えた補助継電器において、前記操作コイルを付勢可能な電源を、前記補助継電器本体に内蔵するか、又は前記補助継電器本体と前記容器の間に配設した補助継電器である。
【図面の簡単な説明】
【０００７】
【図１】実施形態１の補助継電器の概略構成を示す斜視図。
【図２】図１の補助継電器本体内の電気回路示す図。
【図３】実施形態２の補助継電器の概略構成を示す斜視図。
【図４】図３の補助継電器の電気回路を示す図。
【発明を実施するための形態】
【０００８】
以下、実施形態の補助継電器について説明するが、始めに図１、図２を参照して実施形態１の概略構成について説明する。本実施形態の補助継電器は、容器１を構成する例えばプラスチックカバーと、容器１内に収納される補助継電器本体２からなっている。補助継電器本体２は、電磁石を構成する操作コイル３及び鉄心（図示せず）と、操作コイル３を付勢する際に閉路させる操作コイル付勢用スイッチ１５と、常開接点４と一体の可動鉄片（図示せず）と、常閉接点５と一体の可動鉄片（図示せず）と、容器１の外部に一部が露出し常開接点４と電気的に接続された金属端子６と、容器１の外部に一部が露出し常閉接点５と電気的に接続された金属端子６とを備えている。
【０００９】
さらに、操作コイル３を付勢可能な電源７を、補助継電器本体２に内蔵するか、又は補助継電器本体２と容器１の間に配設されている。電源７を含む回路に、並列に逆流防止のダイオード８が接続され、操作コイル付勢用スイッチ１５及び操作コイル３に並列に逆流防止のダイオード９及び保護抵抗１０の直列回路が接続されている。
【００１０】
電源７は、振動、発熱により発電可能な素子、充電可能な素子、充電電池のいずれか、或いはこれらを組み合わせたもので構成する。
【００１１】
このように構成された補助継電器本体２に電源７が内蔵されているので、操作コイル付勢用スイッチ１５を閉路させると、電磁石が磁化され、可動鉄片が鉄心に吸引され、これにより常開接点４が閉じ、常閉接点５が開く。
【００１２】
以上述べた実施形態１によれば、補助継電器本体２内に電源７が組み込んであるので、現地据付け作業や、仕様変更に伴う突発的な回路の変更が必要になったとき際にも、電源ケーブルの引き込みなしで試験回路の構築が可能になり、この結果需要家の停電スケジュールに合わせて工事の幅が広がる。このことは、一時的に本補助継電器を適用し、後日需要家のスケジュールで継電器交換を実施できる。特に海外向けの案件では、国内市場では非標準なAC220〜240V定格のAC電源回路や、DC125Vの制御回路要求が多く、同定格のラインナップを標準化する。これにより、海外案件における現地施工時や、改造時における突発的な仕様変更や事故復旧対応時にも、追加で（外線引き込みによる）電源ケーブルの敷設が不要となり、予備品等にて事前に供給済であれば継電器と盤内配線さえ確保できれば対応が可能となる。
【００１３】
次に、図３及び図４を参照して実施形態２の補助継電器を説明する。実施形態２は、前述の実施形態１とは異なる点は、次の様なソケット１１を設けたことである。ソケット１１は端子６と挿抜可能なレセプタクル１２が絶縁体１３内に収納されている。そしてソケット１１に、操作コイル３を付勢可能な電源７を内蔵したことである。
【００１４】
以上述べた実施形態２によれば、次の様な効果が得られる。すなわち、前述の実施形態１では、補助継電器本体２内に電源７を内蔵させるか、補助継電器本体２と容器１の間に電源７を配設した例であるので、電源７サイズや容量によって補助継電器本体内に電源の内蔵が困難な場合が想定されるが、実施形態２ではこのような問題に対処できる。具体的には、充電可能な電池７を容器１とは異なる絶縁体１３内に組み込んだバッテリソケット１１とし、このバッテリソケット１１を補助継電器の容器に組合わせ可能に構成したからである。
【００１５】
バッテリソケット１１は、継電器の試験をしないとき、コンセントに金属端子を挿入させておくことで、バッテリソケット１１の内部の充電電池が充電され、継電器を試験するときは、バッテリソケット１１のレセブタクル１２内に補助継電器の金属端子を挿入させることで、バッテリソケット１１内の電源回路と補助継電器の操作コイル３が電気的に接続されることで、接点４、５を動作させることができる。
【００１６】
前述のバッテリソケット１１は、既存の補助継電器の底面から突出した金属端子に、バッテリソケット１１に有するレセブタクル１２が挿抜可能に構成することで、既存の補助継電器にも適用できるので、便利である。
【００１７】
本実施形態として、図３、図４においてソケット１１の絶縁体（容器）１３壁に埋設され、外部回路と電気的に接続が可能な補助継電器に有する外部端子６に挿抜可能なレセプタクル１２と、絶縁体（容器）１３内に収納され、レセプタクル１２と電気的に接続され、外部電源（図示しない）から充電可能であって、補助継電器に有する接点４、５を駆動するための電磁石を構成する操作コイルに電流が供給できる充電電池とを具備した補助継電器用充電電池ソケットとしてもよい。
【符号の説明】
【００１８】
１…容器、２…補助継電器本体、３…操作コイル、４…常開接点、５…常閉接点、６…金属端子、７…電源、８、９…ダイオード、１０…保護抵抗、１１…ソケット、１２…レセブタクル、１３…絶縁体、１４…金属端子、１５…操作コイル付勢用スイッチ。
【図１】
2018055880.tif 000003
【図２】
2018055880.tif 000004
【図３】
2018055880.tif 000005
【図４】
2018055880.tif 000006